【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
エレクトログラフィックプリンティング装置であって、
多数のプリント装置（Ａ，Ｂ）に各々多数の現像ステーション（ＥＷＳ）が設けられており、
前記プリント装置（Ａ，Ｂ）の外側に、多数のトナー貯蔵タンク（ＴＦ）が設けられており、該トナー貯蔵タンク（ＴＦ）は、各々トナー搬送チャネル（１４〜１６）を介して、１つ又は複数のプリント装置（Ａ，Ｂ）の１つ又は複数の前記現像ステーション（ＥＷＳ）と結合されており、
前記プリント装置（Ａ，Ｂ）の外側に設けられた前記トナー貯蔵タンク（ＴＦ）は、部分的に各々トナー搬送ユニット（ＥＴＴ）内に設けられており、
前記トナー貯蔵タンク（ＴＦ）には、各々１つのメモリを有する第１の切換回路（２０）が設けられており、該第１の切換回路（２０）に、少なくとも、対応して設けられているトナー貯蔵タンク内に詰められているトナーの色が記憶されており、
前記トナー搬送ユニット（ＥＴＴ）には、各々、１つのメモリを備えた第２の切換回路（２１）が対応して設けられており、該第２の切換回路（２１）で、少なくとも、調整された前記トナー貯蔵タンク（ＴＦ）内に詰められている前記トナーの色が記憶されており、
前記現像ステーション（ＥＷＳ）毎に、１つのメモリを有する第３の切換回路（２２）が設けられており、該第３の切換回路（２２）に、少なくとも、前記現像ステーション内に詰められている前記トナーの色が記憶されていることを特徴とするエレクトログラフィックプリンティング装置。
【請求項２】
各々の現像ステーション（ＥＷＳ）内にトナーを補充するために、少なくとも１つのトナー貯蔵タンク（ＴＦ）が、各々のプリント装置内に設けられており、該プリント装置は、別のトナー搬送チャネルを介して現像ステーションと接続されており、トナー搬送チャネル（１４〜１６）を介して、前記プリント装置の外側に設けられた前記トナー貯蔵タンク（ＴＦ）と接続されている請求項１記載のエレクトログラフィックプリンティング装置。
【請求項３】
各プリント装置（Ａ，Ｂ）の各現像ステーション（ＥＷＳ）は、付加的にマニュアルによりトナーを供給することができるように構成されている請求項１又は２記載のエレクトログラフィックプリンティング装置。
【請求項４】
トナーの色情報が各々トランスポンダ内に記憶されている請求項１から３迄の何れか１記載のエレクトログラフィックプリンティング装置。
【請求項５】
第３の切換回路（２２）内に、付加的に、どのトナー貯蔵タンク（ＴＦ）と、対応して設けられた現像ステーション（ＥＷＳ）がトナー搬送チャネルを介して接続されているか、乃至、どのトナー貯蔵タンク（ＴＦ）で、各トナー搬送チャネルに、各々１つのメモリを含む切換回路が対応して設けられているのか記憶されており、該切換回路に、どの前記トナー貯蔵タンク（ＴＦ）と、対応して設けられた前記現像ステーション（ＥＷＳ）がトナー搬送チャネルを介して接続されているのか記憶されている請求項１から４迄の何れか１記載のエレクトログラフィックプリンティング装置。
【請求項６】
各トナー搬送チャネル（１４〜１６）に各々電気接続線路（２３）が対応して設けられており、該電気接続線路（２３）を介して、情報が、各現像ステーション（ＥＷＳ）の各切換回路と各トナー貯蔵タンク（ＴＦ）との間で交換可能であり、各々の接続線路（２３）は、対応して設けられたトナー搬送チャネル（１４〜１６）の周囲に巻回されている請求項５記載のエレクトログラフィックプリンティング装置。
【請求項７】
主制御モジュール（２６）が設けられており、該主制御モジュール（２６）は、各プリント装置（Ａ，Ｂ）の経過を制御し、殊に、各々各現像ステーション（ＥＷＳ）及び各トナー貯蔵タンク（ＴＦ）内に含まれているトナーの色について確かめ、
各現像ステーション（ＥＷＳ）の監視用の主制御モジュール（２６）は、バス（２４）を介して、各プリント装置（Ａ，Ｂ）の各々の現像ステーションの第３の切換回路（２２）と接続されている請求項１から６迄の何れか１記載のエレクトログラフィックプリンティング装置。
【請求項８】
副制御モジュール（２５）が設けられており、該副制御モジュール（２５）は、バス（２４）を介して第１及び第２の切換回路（２０，２１）及び主制御モジュール（２６）と接続されており、前記主制御モジュール（２６）は、少なくとも、トナー搬送ユニット（ＥＴＴ）の前記各切換回路（２１，２０）及びトナー貯蔵タンク（ＴＦ）内に蓄積されたトナーの色を検出して、前記主制御モジュールに伝達する請求項７記載のエレクトログラフィックプリンティング装置。
【請求項９】
主制御モジュール（２６）は、拡張状態（Ausbauzustand）を操作フィールド（ＢＤＦ）上で操作者に指示する請求項８記載のエレクトログラフィックプリンティング装置。
【請求項１０】
主制御モジュール（２６）は、各現像ステーション（ＥＷＳ）及び各トナー貯蔵タンク（ＴＦ）乃至各トナー搬送ユニット（ＥＴＴ）の各切換回路内に記憶されたトナーの色情報を用いて、前記各々の現像ステーションが、正確なトナーの色を含むトナー貯蔵タンクと接続されているかどうか確認し、
トナー搬送ユニット（ＥＴＴ）は、トナー貯蔵タンク（ＴＦ）を第２の切換回路（２１）内に装着する際に、該トナー貯蔵タンク（ＴＦ）のトナーの色を記録し、当該トナーの色を副制御モジュール（２５）に伝達し、該副制御モジュール（２５）は、当該情報を前記主制御モジュール（２６）に転送する請求項８又は９記載のエレクトログラフィックプリンティング装置。
【請求項１１】
エレクトログラフィックプリンティング装置（ＤＲ）の作動方法であって、
各々多数の現像ステーション（ＥＷＳ）を有する多数のプリント装置（Ａ，Ｂ）がプリンティング装置（ＤＲ）内に設けられ、
前記プリント装置（Ａ，Ｂ）の外側に、多数のトナー貯蔵タンク（ＴＦ）が設けられており、該トナー貯蔵タンク（ＴＦ）は、各々トナー搬送チャネル（１４〜１６）を介して、１つ又は複数のプリント装置（Ａ，Ｂ）の１つ又は複数の前記現像ステーション（ＥＷＳ）と結合され、
前記プリント装置（Ａ，Ｂ）の外側に設けられた前記トナー貯蔵タンク（ＴＦ）は、部分的に各々トナー搬送ユニット（ＥＴＴ）内に設けられ、
前記トナー貯蔵タンク（ＴＦ）には、各々１つのメモリを有する第１の切換回路（２０）が設けられており、該第１の切換回路（２０）に、少なくとも、対応して設けられているトナー貯蔵タンク内に詰められているトナーの色が記憶されており、
前記トナー搬送ユニット（ＥＴＴ）には、各々、１つのメモリを備えた第２の切換回路（２１）が対応して設けられ、該第２の切換回路（２１）で、少なくとも、調整された前記トナー貯蔵タンク（ＴＦ）内に詰められている前記トナーの色が記憶されており、
前記現像ステーション（ＥＷＳ）毎に、１つのメモリを有する第３の切換回路（２２）が設けられ、該第３の切換回路（２２）に、少なくとも、前記現像ステーション内に詰められている前記トナーの色が記憶されており、
プリンティング装置（ＤＲ）のスイッチオン時に、該プリンティング装置（ＤＲ）の主制御モジュール（２６）は、プリント装置（Ａ，Ｂ）のトナー供給用に使用される各コンポーネントを検出することを特徴とするエレクトログラフィックプリンティング装置（ＤＲ）の作動方法。
【請求項１２】
第１のステップで、現像ステーション（ＥＷＳ）に関して、
どの前記現像ステーションが各々のプリント装置（Ａ，Ｂ）内に装着されているか、
どのトナーの色が各々の前記現像ステーション内に含まれているか、
どのようにして、各々の前記現像ステーションに前記トナーが供給されているのかについて検査する請求項１１記載のエレクトログラフィックプリンティング装置（ＤＲ）の作動方法。
【請求項１３】
別のステップで、各トナー搬送ユニット（ＥＴＴ）に関して、
どの程度の個数の前記各トナー搬送ユニットがプリンティング装置（ＤＲ）内に設けられているか、
どのトナーの色が、前記各トナー搬送ユニット内に設けられたトナー貯蔵タンク（ＴＦ）を有しているか、
前記各トナー搬送ユニットが機能しているか、
どの前記トナーの色が第２の切換回路内に記憶されているかについて検査する請求項１１又は１２記載のエレクトログラフィックプリンティング装置（ＤＲ）の作動方法。
【請求項１４】
主制御モジュール（２６）により、現像ステーション（ＥＷＳ）、各トナー搬送ユニット（ＥＴＴ）、及び、各トナー貯蔵タンク（ＴＦ）の構成について検出し、且つ、トナー供給の実際の状況を確認して、処理し、
実際の構成をプリンティング装置（ＤＲ）の操作フィールド（ＢＤＦ）上に表示する請求項１１から１３迄の何れか１記載のエレクトログラフィックプリンティング装置（ＤＲ）の作動方法。
【請求項１５】
主制御モジュール（２６）により、各々の現像ステーション（ＥＷＳ）及び当該現像ステーション（ＥＷＳ）の切換回路（２２）に、当該現像ステーションのトナー供給がどのように実行されているか（マニュアルによる、負圧による）確かめ、及び、当該の結果に依存して、前記現像ステーションへのトナー供給を調整する請求項１１から１４迄の何れか１記載のエレクトログラフィックプリンティング装置（ＤＲ）の作動方法。